(57)【特許請求の範囲】
【請求項１】
複数のテレビジョン放送を同時に受信するテレビジョン放送受信手段と、
前記複数のテレビジョン放送で放送されている、または将来放送予定の各番組の、番組名、番組内容、放送時間、及び各番組を放送するチャンネルのチャンネル名、の各情報を含む番組識別情報を取得する番組識別情報取得手段と、
前記テレビジョン放送受信手段の出力チャネルを選択するチャネル選択手段と、
前記チャネル選択手段で選択することのできるチャネルの受信可能番組の中から所望の番組の受信を予約する予約手段と、
前記チャンネル選択手段によって選択されている番組を親画面に表示するとともに、前記予約手段によって予約された番組の受信を開始したら、この番組を親画面内の子画面に表示する親画面内子画面表示手段とからなる親画面内子画面表示機能を持った予約受信可能なテレビジョン受像機において、
親画面に表示されている番組と子画面に表示されている番組とを入れ替える第一の表示制御手段と、
子画面をアイコンに変化させると共に、前記アイコンの内部、または前記アイコンに隣接する所定の領域に、前記子画面に表示されていた番組に対応する前記番組識別情報に含まれる各情報のうちのいずれかを文字情報として表示する第二の表示制御手段と、
親画面に表示されている番組とアイコンに変化している番組とを入れ替えると共に、入れ替えた前記アイコンの内部、または前記アイコンに隣接する所定の領域に、前記親画面に表示されていた番組に対応する前記番組識別情報に含まれる各情報のうちのいずれかを文字情報として表示する第三の表示制御手段と、
アイコンを子画面に変化させる第四の表示制御手段とを含むことを特徴とするテレビジョン受像機。
【請求項２】
複数の信号ソースを同時に受信する受信手段と、
前記複数の信号ソースの、信号ソース名、及び信号ソースの内容、の各情報を含む信号ソース識別情報を取得する信号ソース識別情報取得手段と、
前記受信手段が出力する信号ソースを選択する信号ソース選択手段と、
前記信号ソース選択手段で選択することのできる信号ソースの中から所望の信号ソースを特定の時間に受信することを予約する予約手段と、
前記ソース選択手段によって選択されている信号ソースを親画面に表示するとともに、
前記予約手段によって予約された信号ソースの受信を開始したら、この信号ソースを親画面内の子画面に表示する親画面内子画面表示手段とからなる親画面内子画面表示機能を持った予約受信可能な表示切り変え装置において、
親画面に表示されている信号ソースと子画面に表示されている信号ソースとを入れ替える第一の表示制御手段と、
子画面をアイコンに変化させると共に、前記アイコンの内部、または前記アイコンに隣接する所定の領域に、前記子画面に表示されていた信号ソースに対応する前記信号ソース識別情報に含まれる各情報のうちのいずれかを文字情報として表示する第二の表示制御手段と、
親画面に表示されている信号ソースとアイコンに変化している信号ソースとを入れ替えると共に、入れ替えた前記アイコンの内部、または前記アイコンに隣接する所定の領域に、前記親画面に表示されていた信号ソースに対応する前記信号ソース識別情報に含まれる各情報のうちのいずれかを文字情報として表示する第三の表示制御手段と、
アイコンを子画面に変化させる第四の表示制御手段とを含むことを特徴とする表示切り換え装置。
【発明の詳細な説明】
【０００１】
【発明の属する技術分野】
本発明は、予約可能なテレビジョン受像機および親画面内子画面表示の切り換え制御装置に関し、特に画面を見ながら予約で発生した受信番組の告知とその番組の選択操作がスムーズに行なえるテレビジョン受像機、および画面を見ながら予約で発生した受信ソースの告知とその受信ソースの選択操作がスムーズに行なえる親画面内子画面表示の切り換え制御装置に関する。
【０００２】
【従来の技術】
従来からテレビジョン受像機（以下、テレビともいう）のチャネル選択などの外部制御は様々な方法で行われている。例えば特開平２−７１６２０号公報、特開平２−１８６８８６号公報、特開平６−２４５２６８号公報において開示されている技術においては、希望するチャネルを指定するためのチャネル選択装置が設けられ、ユーザはチャネル番号に対応するキーを指定することによりチャネルを選択していた。
【０００３】
しかし、ケーブルテレビや衛星放送の普及によりチャネル数が増え、どのチャネルが所望の放送局、番組であるかを覚えることが困難になったことなどにより、より快適な選択操作の方法の開発が期待されてきている。そこで、例えば特開平１０−５６５９９号公報においては、番組案内画面が表示される電子プログラムガイドを利用することが提案されている。あるいは、特開平１０−５６６００号公報においては、番組のデータベースを設けて条件検索をしてチャネルを選択することが提案されている。しかし、このようなプログラムガイドの操作やデータベースの検索は番組を受信しようとする度ごとに行う必要があり、ユーザが番組の受信を失念するなどして希望する番組を見逃す恐れがある。それを防ぐために、テレビに予約装置を付加し、固定した番組を楽しむユーザはこれを利用して所望の番組をもれなく選び出しあらかじめ予約することが考えられた。しかし、もしもユーザが既に他の番組を視聴している最中に、あらかじめ予約した番組の受信が開始されて画面に表示されると、それまで見ていた番組が突然中断されることとなり、ユーザに違和感を与えると同時に大事な場面を見逃すという不具合が生じる。
【０００４】
そこで、例えば特開平４−２５９１７５号公報に開示の技術においては、テレビに予約装置を付加し、さらに予約した番組の受信を開始する時点でユーザが他の番組を受信している場合には、予約した番組を親画面内の子画面に表示させることにより、予約番組の開始をユーザに知らせるとともに現時点でユーザが鑑賞している番組が中断するのを防ぐこととしている。さらに前記の従来技術においては、ユーザの選択に応じて親画面で表示されている番組と子画面で表示されている番組を入れ替えることにより、ユーザが希望する番組を親画面で表示して鑑賞することとしている。しかし親画面内の子画面で表示された画面は親画面の一部を覆うので、親画面で表示されている番組の画面全体を鑑賞することができないという問題を生じる。その問題を解決するために親画面内の子画面表示を一時的に全体の画面から消去してしまう方策が容易に考えうるが、その方策を実行すると、消去されて現在画面には表示されていないものの親画面での表示を復活させうる現在受信中の番組が存在することを、ユーザは画面を見て即座に知ることができなくなり、現在並行して受信中の複数の番組の中から画面に表示する番組をスムーズに選択することができない、という不具合が生じる。  また、そればかりではなく、前記の従来技術による親画面内子画面表示機能を有するテレビでは、ユーザが子画面に表示されている番組を識別しようとした場合に、面積の小さな子画面内に表示されている画像の内容を見て識別をしなければならないので、番組を識別して親画面に表示すべき所望の番組を選択するのが容易ではなく、画面に表示する番組の切り換え操作がスムーズに行なえない、という課題があった。
【０００５】
更に、近年インターネット通信網、ケーブルテレビジョン、双方向通信システム等新たな情報伝達媒体の家庭への普及が開始あるいは進展し、従来から家庭に普及していたテレビジョン受像機のように不特定多数への放送電波を単に受け手として画面に表示する機器ばかりではなく、インターネット映像画面、ケーブルテレビ放送画面、双方向通信画面等様々な信号ソースを受け手として表示し、また様々な情報を送り手として送信できる端末機器が家庭に普及するものと予想される。その際に、設置スペースの制約やユーザの利便性を考慮すれば、前記各種情報端末機器は専用機がそれぞれ独立して設置されるのよりもむしろ、前記各種の信号ソースを選択して表示し、あるいは送信できる中心的な情報ターミナルが家庭に普及するという予想もされている。そのような中心的な情報ターミナルは複数の種類の信号ソースを一つの画面を用いて適宜切り替えて表示させる必要があるので、親画面の中に子画面を表示できてさらに親画面、子画面に表示する信号ソースを選択することができる親画面内子画面表示機能付き切り換え制御装置を用いることは一つの解決策である。しかしその場合、親画面内子画面に表示された画面は親画面の一部を覆うので、親画面で表示されている信号ソースの完全な読み取りを妨げる、という前記のテレビにおける場合に類似した課題が生じる。その課題を解決するために親画面内子画面表示を一時的に親画面から消去してしまうと、今度は、消去されて現在画面には表示されていないものの親画面または子画面での表示を復活させうる受信中の信号ソースが存在することをユーザは画面を見て即座に知ることができなくなり、結果的にあらかじめ受信を予約した信号ソースと、先行して読み取りをしていた信号ソースとから画面に表示する信号ソースをスムーズに選択できない、という問題が、前記の予約受信可能なテレビの場合と同様に発生する。
【０００６】
さらにまた、前記の従来技術による親画面内子画面表示機能を有する表示切り換え装置では、ユーザが子画面に表示されている信号ソースを識別しようとした場合に、面積の小さな子画面内に表示されている画像の内容を見て識別をしなければならないので、信号ソースを識別して所望の信号ソースを選択するのが容易ではなく、画面に表示する信号ソースをスムーズに選択することができない、という課題が発生することも、前記のテレビの場合と同様である。
以上のように、予約した番組を画面の親画面内子画面に表示させるテレビにおいて、スムーズに画面の切り換えができる操作性の高い制御手段が必要になる、という課題は、テレビにのみ限られることではなく、前記の家庭における中心的な情報ターミナルの一つの実現手段である親画面内子画面表示機能付き表示切り換え制御装置にも共通した課題であることが明らかである。
【０００７】
【発明が解決しようとする課題】
前記のように、ユーザが所望の番組を見逃すことがないようにするためにあらかじめ希望する番組の受信を予約することができるテレビ受像機において、予約番組の受信が開始した時点で予約番組を親画面内子画面に表示し、また親画面に表示する番組と子画面に表示する番組とを交換できるようにした従来技術では、あらかじめ予約した番組の受信が開始されると、親画面の一部が子画面で覆われるので親画面全体を鑑賞することができないという課題があり、その対策として子画面を画面全体から消去してしまうと、ユーザは現在受信中のすべての番組を画面を見て知ることができないので、画面に表示させる番組の選択がスムーズに行えない、という課題があった。それと同時に、ユーザが子画面に表示されている番組を識別しようとした場合に、面積の小さな子画面内に表示されている画像の内容を見て識別をしなければならないので、番組を識別して所望の番組を選択するのが容易ではなく、画面に表示する番組をスムーズに選択することができない、という課題が生じている。
【０００８】
更に、ユーザが所望の信号ソースを見逃すことがないようにするためにあらかじめ希望するソースの受信を予約することができる親画面内子画面表示機能付き表示切り換え制御装置において、予約した受信ソースの受信が開始した時点で予約したソースを親画面内子画面に表示し、また親画面に表示する信号ソースと子画面に表示する信号ソースとを交換できるようにした従来技術では、あらかじめ予約した信号ソースの受信が開始されると親画面の一部が子画面で覆われるので、親画面全体の読み取りができないという問題があり、その対策として子画面を画面から消去してしまうと、ユーザは現在受信中のすべての信号ソースを画面を見て知ることができないので、画面に表示させる信号ソースの選択がスムーズに行えない、という課題があった。
それと同時に、ユーザが子画面に表示されている信号ソースを識別しようとした場合に、面積の小さな子画面内に表示されている画像の内容を見て識別をしなければならないので、信号ソースを識別して所望の信号ソースを選択するのが容易ではなく、画面に表示する信号ソースをスムーズに選択することができない、という課題が生じている。
本発明はこれらの課題を解決することを目的とする。
【０００９】
【課題を解決するための手段】
そこで、本発明は、上記課題を解決するために以下の装置を提供するものである。
（１）複数のテレビジョン放送を同時に受信するテレビジョン放送受信手段（３）と、
前記複数のテレビジョン放送で放送されている、または将来放送予定の各番組の、番組名、番組内容、放送時間、及び各番組を放送するチャンネルのチャンネル名、を含む番組識別情報を取得する番組識別情報取得手段（３，８）と、
前記テレビジョン放送受信手段（３）の出力チャネルを選択するチャネル選択手段（２）と、
前記チャネル選択手段（２）で選択することのできるチャネルの受信可能番組の中から所望の番組の受信を予約する予約手段（２）と、
前記チャンネル選択手段によって選択されている番組を親画面に表示するとともに、前記予約手段によって予約された番組の受信を開始したら、この番組を親画面内の子画面に表示する親画面内子画面表示手段（２）とからなる親画面内子画面表示機能を持った予約受信可能なテレビジョン受像機において、
親画面に表示されている番組と子画面に表示されている番組とを入れ替える第一の表示制御手段（２）と、
子画面をアイコンに変化させると共に、前記アイコンの内部、または前記アイコンに隣接する所定の領域に、前記子画面に表示されていた番組に対応する前記番組識別情報に含まれる各情報のうちのいずれかを文字情報として表示する第二の表示制御手段（２）と、
親画面に表示されている番組とアイコンに変化している番組とを入れ替えると共に、入れ替えた前記アイコンの内部、または前記アイコンに隣接する所定の領域に、前記親画面に表示されていた番組に対応する前記番組識別情報に含まれる各情報のうちのいずれかを文字情報として表示する第三の表示制御手段（２）と、
アイコンを子画面に変化させる第四の表示制御手段（２）とを含むことを特徴とするテレビジョン受像機。
【００１０】
（２）複数の信号ソースを同時に受信する受信手段（３）と、
前記複数の信号ソースの、信号ソース名、及び信号ソースの内容、を含む信号ソース識別情報を取得する信号ソース識別情報取得手段（３，８）と、
前記受信手段（３）が出力する信号ソースを選択する信号ソース選択手段（２）と、
前記信号ソース選択手段（２）で選択することのできる信号ソースの中から所望の信号ソースを特定の時間に受信することを予約する予約手段（２）と、
前記ソース選択手段によって選択されている信号ソースを親画面に表示するとともに、前記予約手段によって予約された信号ソースの受信を開始したら、この信号ソースを親画面内の子画面に表示する親画面内子画面表示手段（２）とからなる親画面内子画面表示機能を持った予約受信可能な表示切り変え装置において、
親画面に表示されている信号ソースと子画面に表示されている信号ソースとを入れ替える第一の表示制御手段（２）と、
子画面をアイコンに変化させると共に、前記アイコンの内部、または前記アイコンに隣接する所定の領域に、前記子画面に表示されていた信号ソースに対応する前記信号ソース識別情報に含まれる各情報のうちのいずれか文字情報として表示する第二の表示制御手段（２）と、
親画面に表示されている信号ソースとアイコンに変化している信号ソースとを入れ替えると共に、入れ替えた前記アイコンの内部、または前記アイコンに隣接する所定の領域に、前記親画面に表示されていた信号ソースに対応する前記信号ソース識別情報に含まれる各情報のうちのいずれかを文字情報として表示する第三の表示制御手段（２）と、
アイコンを子画面に変化させる第四の表示制御手段（２）とを含むことを特徴とする表示切り換え装置。
【００１１】
【発明の実施の形態】
本発明に係るテレビジョン受像機および親画面内子画面表示切り換え装置の一実施の形態を、図１ないし図５を用いて説明する。図１は本発明に係る装置の概略のブロック図、図２はこの装置の制御ルーチンのフローチャート、図３、図４はこの装置の割り込み制御ルーチンのフローチャート、図５はこの装置の画面表示を説明するための表示例である。
【００１２】
図１において、操作部（１）は例えばリモコン装置であり、ユーザは付属するボタンを押すことなどにより装置が所望の動作を行なうようコマンドを入力する。コマンドが入力されると、操作部（１）はそのコマンドを信号として制御手段（２）に入力する。制御手段（２）は、前記のコマンドの内容に応じてそれぞれ機能する要素として、信号ソース選択制御部と、受信制御部と、予約制御部と、Ｇガイド受信制御部と、双方向通信制御部と、親画面内子画面表示切り換え制御部とを含んでいる。これらの機能を以下に説明する。
まず信号ソース選択制御部は、ユーザが操作部（１）にコマンドを入力することによって装置が受信し再生すべき受信ソースを選択する。受信ソースとは、一つは地上波衛星波を含めたテレビジョン放送の一つのチャネルであり、さらにはケーブルテレビジョン信号、インターネット信号、双方向通信信号等が含まれる。信号ソース選択制御部の選択に応じて制御手段（２）は受信／送信部（３）に対してコマンドを入力する。受信／送信部（３）は前記コマンドに応じて、宅内に設置されたターミナル（４）から受信/送信部（３）に供給される前記の様々な信号ソースの中から選択された信号ソースを選択的に受信し映像信号、音声信号、データ信号として復調し、復調信号を制御手段（２）に入力する。制御手段（２）は前記復調信号の種類に応じて、モニタ部（５）、オーディオ部（６）、データ部（７）に入力する。
【００１３】
次に、受信制御部は、装置の電源オン／オフ、音声レベルの調整、音声のサラウンドモードのオン／オフなど装置の動作に関わる制御を、ユーザが操作部（１）に入力したコマンドに応じて行なう。更に、予約制御部は、ユーザの所望する番組あるいは受信ソースの受信を予約する機能を持つ。予約すべき所望の番組あるいは受信ソースを指定する手段として、Ｇガイドと呼ばれる番組情報の一覧データを利用することができる。Ｇガイドは番組のチャネル、内容、放送日時等を含むデータであって、放送電波やインターネット通信網あるいはＣＤ−ＲＯＭ等の記録媒体によってユーザが定期的に更新することが想定されている。番組を予約するには、バッファ（８）に蓄積されたＧガイドデータを呼び出し画面に表示して、ユーザがリモコンボタンや画面内のアイコンを選択するなどして行われる。このほかにＧコードと呼ばれる、個々の番組に固有の数字列を雑誌等の媒体で調べ、ユーザが予約したい番組のＧコードを操作部（１）から入力する方法でも予約が可能である。更にＧガイド受信制御部は前記ターミナル（４）を経由して受信／送信部（３）がＧガイドデータを定期的に受信し、制御手段（２）に入力した後に受信／送信部（３）を経由してバッファ（８）に蓄積されるまでの制御を行なう。Ｇガイドデータの受信はＧガイド受信制御部によって通常は定期的に自動的に行われる。双方向通信制御部は、インターネット通信を含む双方向通信の制御を行なう。
【００１４】
ところで、受信／送信部（３）は制御手段（２）の司令に応じて、複数の放送あるいは受信ソースを同時に受信ができるよう、復調のための手段などを複数備えている。複数の放送あるいは受信ソースとは、例えばテレビ放送の異なるチャネルの組み合わせでもよいし、インターネット信号とテレビ放送との組み合わせでもよい。受信／送信部（３）で復調された複数の復調信号は制御手段（２）に入力する。
制御手段（２）に含まれる親画面内子画面表示切り換え制御部は、ユーザのコマンドに応じて複数の復調信号のうち一つをモニタ部（５）の表示画面全体に親画面として表示し、他の復調信号を表示画面全体のうちの一部の領域を占める子画面として表示するか、あるいはテレビ放送のチャネル、番組内容等を象徴する形、色、文字等で構成されるアイコンとして画面内に表示する。親画面表示の例を図５（Ａ）に、子画面表示の例を図５（Ｂ）に、アイコン表示の例を図５（Ｃ）に示す。現在表示されている親画面、子画面、アイコンは、ユーザが操作部（１）に入力するコマンドあるいは割り込み制御の結果に応じて、親画面内子画面表示切り換え制御部によって、異なる表示方法に切り換えが行われる。
モニタ部（５）は前記のように制御手段（２）から入力した映像信号を画面表示に変換する。具体的には液晶表示部やＣＲＴ等の表示手段とその周辺制御手段で構成される。オーディオ部（６）は前記のように制御手段（２）から入力した音声信号を音声に変換する。具体的にはスピーカ等の電気音響変換手段とその周辺制御手段で構成される。データ部（７）は前記のように制御手段（２）から入力したデータを蓄積し、制御手段（２）の指示に応じて蓄積されたデータを読み出して制御手段（２）に入力する。具体的には磁気ディスク等の記憶手段と周辺の書き込みおよび読み出し制御手段で構成される。バッファ（８）は前記のようにＧガイドデータを蓄積し受信／送信部（３）による読み出しに応じるとともに、双方向通信時に送信するデータを一時蓄積した後、受信／送信部（３）、ターミナル（４）を経由して送信したり、ターミナル（４）、受信／送信部（３）を経由して受信したデータを一時蓄積した後に制御手段（２）に送る動作を行なう。
【００１５】
次に、制御手段（２）に配置され、装置が起動されると最初に起動して、ユーザの操作部（１）によるコマンド入力に応じて装置の動作モードを設定する制御ルーチンを、図２のフローチャートを参照して説明する。この制御ルーチンは装置が起動している間は繰り返し実行される。
まず装置が起動されると、起動時に必要な装置の初期設定を行なうシステムイニシャライズが実行され（ステップＳ１００）、次に、あらかじめユーザが操作部（１）からコマンドを入力して設定してあるフラグであるモードフラグを参照する。モードフラグが、テレビ放送や信号ソースを受信するモードである受信モードに指定されていれば（ステップＳ１０１でＹ）、装置を受信モードで動作させて（ステップＳ１０２）、次の判断に入る。一方もし、前記ステップＳ１０１でＮであれば、すぐに次の判断として、モードフラグが番組や信号ソースの受信予約を行なう予約モードであるかどうかの判断を行う（ステップＳ１０３）。予約モードであれば、さらに前記の定期的に更新されるデータを用いた番組ガイド機能であるＧガイドを利用して予約を行なうか否かをユーザが設定する別なフラグを見て判断し（ステップＳ１０４）、ＹであればＧガイド利用モードで動作させ（ステップＳ１０５）、Ｎであれば前記の個々の番組に付与された数字列であるＧコード利用モードで動作させ（ステップＳ１０６）、次の判断に入る。
【００１６】
一方、もし前記ステップＳ１０３でＮであれば、すぐに次の判断として前記モードフラグを見て、前記の番組情報データであるＧガイドデータを強制的に受信するモードであるＧガイド受信モードの判断を行う（ステップＳ１０７）。ここでＹであればＧガイド受信モードで動作させ（ステップＳ１０８）、次の判断に入る。Ｇガイド受信モードでは、前記受信モードと同様に放送や信号ソースの受信を行なうのと並行して、ターミナル（４）よりＧガイドデータを受信し受信／送信部（３）、制御手段（２）に入力した後、再び受信／送信部（３）を経由してバッファ（８）に蓄積する。Ｇガイドの受信動作は並行する放送や信号ソースの受信に影響を与えず画面表示等も変化が無い。
一方、もし前記ステップＳ１０７でＮであれば、すぐに次の判断として双方向通信を行なう双方向通信モードの判断を行う（ステップＳ１０９）。ここでＹであれば双方向通信モードで動作させ（ステップＳ１１０）、ステップＳ１０１に戻る。双方向通信モードでは、前記受信モードと同様に放送や信号ソースの受信を行なうのと並行して、前記双方向通信制御部が機能してターミナル（４）やバッファ（８）を介して双方向通信を行いデータはデータ部（７）に蓄積される。
ステップ１０１に戻った制御は前記の各ステップにおける判断と動作を再び行ない、この制御ルーチンは装置が起動されている間は常に繰り返されるので、ユーザはいつでも操作部（１）からコマンドを入力することにより、装置の動作モードを所望のモードに変更することができる。
【００１７】
次に、制御手段（２）に配置され、あらかじめ予約した番組が始まったら画面に表示する動作を行なう第一の割り込み制御ルーチンを、図３のフローチャートを参照して説明する。
この第一の割り込み制御は、装置が起動されている間は常に繰り返されるので、ユーザがあらかじめ予約した番組の放送時間が到来すると即座に画面に表示する機能が実現される。  この制御ルーチンの動作について説明する。割り込みが発生すると、まず、前記予約制御部に含まれる記憶手段にユーザがあらかじめ登録しておいた予約番組の開始時刻と現在の時刻が一致しているか否か判断する（ステップＳ１）。Ｙであれば予約番組の受信を開始するとともに前記の親画面内子画面表示切り換え制御部の機能により予約番組を子画面で表示し（ステップＳ２）リターンする。子画面に予約番組が表示されることでユーザは予約番組の受信が開始されたことを知ることができ、また先行して受信していた番組は親画面に引き続き表示されているので、現在受信中の番組が突然中断してユーザに違和感を与えたり、ユーザが大切な場面を見逃すという不具合が生じない。
ステップＳ１でＮであればリターンする。
【００１８】
更に、制御手段（２）に配置された、第二の割り込み制御ルーチンを、図４のフローチャートを参照して説明する。この制御ルーチンは装置が起動されている間は常に一定間隔で割り込みが繰り返され、終了した予約番組の画面表示を消去する動作と、ユーザの操作部（１）へのコマンド入力に応じてモニタ部（５）の親画面、子画面、アイコン表示を相互に切り換える動作を行なう。
割り込みが発生すると、予約番組終了か否かを判断し（ステップＳ１１）、Ｙであれば予約番組の受信を終了させて、その親画面表示あるいは子画面表示あるいはアイコン表示を消し（ステップＳ１４）リターンする。一方、予約番組終了か否かの判断（ステップＳ１１）でＮであれば、まず子画面に表示された番組を親画面表示に復帰するかどうかを判断し（Ｓ１２）、Ｙであれば子画面表示されていた番組を親画面表示するとともに、それまで親画面表示されていた番組を子画面に表示する（ステップＳ１３）。すなわち、その作用として図５（Ｂ）中に現された子画面内に表示されていた画面を拡大し、図５（Ａ）のように親画面による表示に変更するとともに、それまで図５（Ａ）のように親画面に表示されていた他の番組の画面を図５（Ｂ）中に現された子画面内に表示する。
【００１９】
さて、図４において、ステップＳ１２でＮであると、子画面をアイコン化して消去するか否か判断し（ステップＳ１５）、Ｙであれば子画面をアイコン化して消去し（ステップＳ１６）、リターンする。すなわちその作用として図５（Ｂ）中に示された子画面に表示された番組を消去して、図５（Ｃ）に示されたアイコンを新たに表示する。それまで子画面に覆われた親画面の部分をユーザは鑑賞することができなかったが、子画面が消去されて、より小さなアイコンに変化したことにより、ユーザは親画面中のより多くの部分を鑑賞することが可能となる。更に、アイコンはその形状をテレビ放送のチャネルや番組や番組ジャンルに特有の、あるいはユーザが任意に設定した形、色、文字等にすることが可能であるし、また番組名やチャネル名等の文字情報をアイコンの内部や近傍に配置することも容易にできるので、アイコンを見ただけでユーザは容易に番組を識別でき、単に番組の画面を縮小した子画面表示から判断するよりも、より容易に所望の番組を選択することが可能になる。
ステップＳ１５でＮであると、アイコンを親画面に復帰するか否か判断し（ステップＳ１７）、Ｙであればそれまでアイコン化して消去されていた番組を親画面に表示し、それまで親画面で表示されていた番組をアイコン化して消去して（ステップＳ１８）、リターンする。
ステップＳ１７でＮであれば、アイコンを子画面表示に復帰するかどうか判断し（ステップＳ１９）、Ｙであれば図５（Ｃ）中に示されるそれまでアイコン化して消去されていた番組を図５（Ｂ）中に示される子画面表示に復帰する。（ステップＳ２０）。ステップ２０の目的を説明すると、番組のジャンルや内容によってはアイコン表示よりもむしろ、現在放送されている番組の画面を見て親画面に復帰するかどうか判断をしたい場合がありうる。例えばニュースを受信していて、天気予報のコーナーが放送されている時だけを親画面表示したい場合などである。この場合には、番組の放送中に変化の無いアイコンよりも現在放送中の画面が表示されている子画面表示があった方が都合がよく、前記ステップＳ２０によりアイコン表示を子画面表示に変化させることで、より快適な番組の選択が可能となる。ステップＳ１９でＮであれば、そのままリターンする。この第二の割り込み制御ルーチンは装置が起動されている間は常に一定間隔で割り込みが繰り返されているので、ユーザは任意の時間に操作部（１）からコマンドを入力することにより画面の切り換え操作を行なうことができる。
【００２０】
前記の第二の割り込み制御から復帰した時点で画面には、ユーザがメインとして鑑賞している番組が親画面に表示され、また同時に並行して受信をしている番組がユーザの指定に応じてアイコンあるいは子画面として親画面内に表示されている。引き続きユーザは各番組の進展具合や自分の好みに応じて、新たに親画面に表示すべき番組をアイコンや子画面表示から自由自在に選択して親画面に拡大して表示し鑑賞することができる。その際に本発明の作用としてのアイコン表示は従来技術に見られる子画面表示と比較して、まずその面積をより小さくできることから親画面を覆って鑑賞ができなくなる面積がより小さくなり、ユーザはより快適に親画面を鑑賞することができる。さらにアイコン表示はその形、色、付属する文字情報等によりそれが現す番組を、子画面内の画像を見るよりも容易に識別することができるので、ユーザはより快適に所望の番組を選択し、画面表示の切り換え操作を行なうことが可能となる。
【００２１】
なお、前記の本発明に係る装置の動作説明において、より説明内容を明確にするために、同時に受信している番組が２つである場合を前提に説明を行なったが、もちろん３つ以上の番組を並行して受信する実施形態も容易に実現できる。すなわち親画面に表示されている番組に対して、子画面あるいはアイコンとして表示されている番組が２つ以上あるとしても、例えば子画面あるいはアイコンに番号が添えて表示され、ユーザはリモコンの数字キーを操作して所望の番組を選択してもよいし、あるいは画面内を移動できるカーソルをユーザが動かし、子画面あるいはアイコン上にカーソルを位置させた後にリモコンのキーを操作するなどして番組を選択してもよい。
【００２２】
【発明の効果】
ユーザが所望の番組を見逃すことがないようにするためにあらかじめ希望する番組の受信を予約することができ、予約番組の受信が開始した時点で予約番組を親画面内子画面に表示し、また親画面に表示する番組と子画面に表示する番組とを交換できるようにした予約受信可能なテレビジョン受像機において、従来技術では親画面の一部が子画面に覆われて親画面全体の完全な鑑賞ができない、という課題があったのに対して、本発明に係る装置では子画面に表示されている番組をアイコンに変化させて消去できるようにしたので、子画面に覆われて鑑賞ができなくなる親画面の面積をより小さくすることができ、ユーザはより全体に近い親画面の画像を鑑賞することができる、という効果がある。
【００２３】
また、前記の従来技術の装置においては、番組の画面を縮小した子画面の画像を見ることによってユーザは番組を識別しなければならず、画像が小さく見づらいことによって快適でスムーズな番組選択操作ができない、という課題があったのに対して、本発明に係る装置においては、子画面をアイコン化してアイコンの形、色、添えられた文字などによってアイコンが現す番組をより識別しやすくしたので、より快適でスムーズな番組選択操作が可能になる、という効果がある。
【００２４】
更に、ユーザが所望の信号ソースを見逃すことがないようにするためにあらかじめ希望するソースの受信を予約することができる親画面内子画面表示機能付き表示切り換え制御装置において、予約した受信ソースの受信が開始した時点で予約したソースを親画面内子画面に表示し、また親画面に表示する信号ソースと子画面に表示する信号ソースとを交換できるようにした従来技術では、あらかじめ予約した信号ソースの受信が開始されると親画面の一部が子画面で覆われるので、親画面全体の読み取りができないという課題があったのに対して、本発明に係る装置では子画面に表示されている信号ソースをアイコンに変化させて消去することができるので、親画面を覆って鑑賞ができなくなる面積をより小さくすることができ、ユーザはより全体に近い親画面の画像を読み取ることができる、という効果がある。
【００２５】
また、前記の従来技術の装置においては、信号ソースの画面を縮小した子画面の画像を見ることによってユーザは信号ソースを識別しなければならず、画像が小さく見づらいことによって快適でスムーズな信号ソース選択操作ができない、という課題があったのに対して、本発明に係る装置においては、子画面をアイコン化してアイコンの形、色、添えられた文字などによってアイコンが現す信号ソースをより識別しやすくしたので、より快適でスムーズな信号ソース選択操作が可能になる、という効果がある。
【図面の簡単な説明】
【図１】本発明に係るテレビジョン受像機および親画面内子画面表示切り換え装置の一実施の形態のブロック図である。
【図２】本発明に係るテレビジョン受像機および親画面内子画面表示切り換え装置の一実施の形態の制御ルーチンのフローチャートである。
【図３】本発明に係るテレビジョン受像機および親画面内子画面表示切り換え装置の一実施の形態の割り込み制御ルーチンのフローチャートである。
【図４】本発明に係るテレビジョン受像機および親画面内子画面表示切り換え装置の一実施の形態の割り込み制御ルーチンのフローチャートである。
【図５】本発明に係るテレビジョン受像機および親画面内子画面表示切り換え装置の一実施の形態の画面表示を説明するための表示例である。
【符号の説明】
１  操作部
２  制御手段
３  受信／送信部
４  ターミナル
５  モニタ部
６  オーディオ部
７  データ部
８  バッファ
（Ａ）  親画面表示の一例
（Ｂ）  子画面表示の一例
（Ｃ）  アイコン表示の一例
【図１】
0003948139.tif 000002
【図２】
0003948139.tif 000003
【図３】
0003948139.tif 000004
【図４】
0003948139.tif 000005
【図５】
0003948139.tif 000006